【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能とされたスロットマシンにおいて、
前記可変表示部に表示結果が導出される前に、入賞の発生を許容するか否かを決定する事前決定手段と、
前記可変表示部に表示結果を導出させる際に操作される導出操作手段と、
前記導出操作手段が操作されたときに、前記事前決定手段の決定結果及び前記導出操作手段の操作態様に応じて前記可変表示部に表示結果を導出させる制御を行う導出制御手段と、
遊技者にとって有利な有利状態に制御する有利状態制御手段と、
前記有利状態において該有利状態の有利度を示唆する有利度示唆演出を実行する有利度示唆演出実行手段と、
前記導出操作手段の操作態様を報知する操作態様報知手段と、
を備え、
前記導出制御手段は、前記事前決定手段の決定結果が所定結果となった場合に、第１操作順にて前記導出操作手段が操作されたときに、前記導出操作手段の操作タイミングに関わらず、通常表示結果組合せを導出させる制御を行い、第２操作順にて前記導出操作手段が操作されたときに、前記導出操作手段の操作タイミングに関わらず、特殊表示結果組合せを導出させる制御を行う所定結果時導出制御手段を含み、
前記通常表示結果組合せが導出されて入賞が発生した場合と、前記特殊表示結果が導出されて入賞が発生した場合と、で入賞が発生したことに伴って付与される価値は同一であり、
前記通常表示結果組合せ及び前記特殊表示結果組合せは、いずれも再遊技の付与を伴う再遊技入賞が発生する表示結果組合せであり、
前記有利度示唆演出は、前記操作態様報知手段により前記第１操作順を報知する第１報知演出と、前記操作態様報知手段により前記第２操作順を報知する第２報知演出と、を含み、
前記有利度示唆演出実行手段は、前記有利状態において前記事前決定手段の決定結果が前記所定結果となった場合に、前記有利状態の有利度が第１有利度であるか、該第１有利度よりも遊技者にとって有利な第２有利度であるか、に関わらず前記第１報知演出及び前記第２報知演出のいずれも実行可能であり、前記有利状態の有利度が前記第２有利度である可能性が示唆されるように、前記第１有利度である場合と前記第２有利度である場合とで前記第１報知演出及び前記第２報知演出に占める前記第２報知演出が実行される実行比率を異ならせて前記第１報知演出及び第２報知演出を実行することが可能である、スロットマシン。
【手続補正２】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能とされたスロットマシンにおいて、
前記可変表示部に表示結果が導出される前に、入賞の発生を許容するか否かを決定する事前決定手段と、
前記可変表示部に表示結果を導出させる際に操作される導出操作手段と、
前記導出操作手段が操作されたときに、前記事前決定手段の決定結果及び前記導出操作手段の操作態様に応じて前記可変表示部に表示結果を導出させる制御を行う導出制御手段と、
遊技者にとって有利な有利状態に制御する有利状態制御手段と、
前記有利状態において該有利状態の有利度を示唆する有利度示唆演出を実行する有利度示唆演出実行手段と、
前記導出操作手段の操作態様を報知する操作態様報知手段と、
を備え、
前記導出制御手段は、前記事前決定手段の決定結果が所定結果となった場合に、第１操作順にて前記導出操作手段が操作されたときに、前記導出操作手段の操作タイミングに関わらず、通常表示結果組合せを導出させる制御を行い、第２操作順にて前記導出操作手段が操作されたときに、前記導出操作手段の操作タイミングに関わらず、特殊表示結果組合せを導出させる制御を行う所定結果時導出制御手段を含み、
前記通常表示結果組合せが導出されて入賞が発生した場合と、前記特殊表示結果が導出されて入賞が発生した場合と、で入賞が発生したことに伴って付与される価値は同一であり、
前記通常表示結果組合せ及び前記特殊表示結果組合せは、いずれも再遊技の付与を伴う再遊技入賞が発生する表示結果組合せであり、
前記有利度示唆演出は、前記操作態様報知手段により前記第１操作順を報知する第１報知演出と、前記操作態様報知手段により前記第２操作順を報知する第２報知演出と、を含み、
前記有利度示唆演出実行手段は、前記有利状態において前記事前決定手段の決定結果が前記所定結果となった場合に、前記有利状態の有利度が第１有利度であるか、該第１有利度よりも遊技者にとって有利な第２有利度であるか、に関わらず前記第１報知演出及び前記第２報知演出のいずれも実行可能であり、前記有利状態の有利度が前記第２有利度である可能性が示唆されるように、前記第１有利度である場合と前記第２有利度である場合とで前記第１報知演出及び前記第２報知演出に占める前記第２報知演出が実行される実行比率を異ならせて前記第１報知演出及び第２報知演出を実行することが可能である
ことを特徴としている。
手段１のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
前記可変表示装置（リール２Ｌ、２Ｃ、２Ｒ）の表示結果が導出される前に入賞の発生を許容するか否かを決定する事前決定手段（内部抽選）と、
前記可変表示装置に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果及び前記導出操作手段（ストップスイッチ８Ｌ、８Ｃ、８Ｒ）の操作態様に応じて前記可変表示装置（リール２Ｌ、２Ｃ、２Ｒ）に表示結果を導出させる制御を行う導出制御手段と、
遊技者にとって有利な有利状態（ＡＲＴ）に制御する有利状態制御手段と、
前記有利状態（ＡＲＴ）において該有利状態の有利度（ナビストック数）を示唆する有利度示唆演出（通常＋特別リプレイ当選時のナビ演出、付加演出）を実行する有利度示唆演出実行手段と、
前記導出操作手段（ストップスイッチ８Ｌ、８Ｃ、８Ｒ）の操作態様を報知する操作態様報知手段（ナビ演出）と、
を備え、
前記導出制御手段は、前記事前決定手段（内部抽選）の決定結果が所定結果（通常＋特別リプレイ）となった場合に、第１の操作態様（通常リプレイが揃う停止順）にて前記導出操作手段（ストップスイッチ８Ｌ、８Ｃ、８Ｒ）が操作された場合に通常表示結果（通常リプレイの入賞態様）を導出させる制御を行い、第２の操作態様（特別リプレイが揃う停止順）にて前記導出操作手段（ストップスイッチ８Ｌ、８Ｃ、８Ｒ）が操作された場合に前記通常表示結果（通常リプレイの入賞態様）が導出された場合と同一の価値が付与される特殊表示結果（特別リプレイの入賞態様）を導出させる制御を行う所定結果時導出制御手段を含み、
前記有利度示唆演出実行手段は、前記有利状態（ＡＲＴ）において前記事前決定手段（内部抽選）の決定結果が前記所定結果（通常＋特別リプレイ）となった場合に、前記有利度示唆演出として前記操作態様報知手段により前記第１の操作態様（通常リプレイが揃う停止順）を報知する第１報知演出（ナビ演出（通常））及び前記第２の操作態様（特別リプレイが揃う停止順）を報知する第２報知演出（ナビ演出（特別））を実行し、
前記有利状態（ＡＲＴ）において前記事前決定手段（内部抽選）の決定結果が前記所定結果（通常＋特別リプレイ）となった場合に、前記有利状態（ＡＲＴ）の有利度が第１の有利度（ナビストック＝０個）であるか、該第１の有利度よりも遊技者にとって有利な第２の有利度（ナビストック＝１個以上）であるか、に関わらず前記第１報知演出（ナビ演出（通常））及び前記第２報知演出（ナビ演出（特別））のいずれか一方を実行可能であり、前記第１の有利度（ナビストック＝０個）である場合と前記第２の有利度（ナビストック＝１個以上）である場合とで前記第１報知演出（ナビ演出（通常））及び前記第２報知演出（ナビ演出（特別））に占める前記第２報知演出（ナビ演出（特別））が実行される実行比率が異なる
ことを特徴としている。
この特徴によれば、有利状態において事前決定手段の決定結果が所定結果となった場合に、当該有利状態が第１の有利度である場合と第１の有利度よりも有利な第２の有利度である場合とで、通常表示結果が導出されることとなる第１報知演出及び特殊表示結果が導出されることとなる第２報知演出に占める第２報知演出が実行される実行比率が異なるので、遊技者が操作態様報知手段により報知された操作態様にて導出操作手段の操作が行われることにより、第１の有利度である場合と第２の有利度である場合とで特殊表示結果が導出される比率が変化し、この特殊表示結果が導出される比率に応じて当該有利状態の有利度が第１の有利度であるか、第２の有利度であるか、が示唆されるので、有利状態における可変表示装置の表示結果が単調となることがなく、有利状態における興趣を持続させることができる。
尚、遊技者にとって有利な有利状態とは、他の遊技状態よりも高い割合で入賞の発生を許容する旨が決定される遊技状態、他の遊技状態よりも高い割合で入賞が発生する遊技状態、遊技者にとって有利な表示結果を導出させるための操作態様が報知される遊技状態、他の遊技状態よりも遊技用価値が付与される期待値が高い遊技状態などが該当する。
また、有利状態の有利度とは、入賞の発生が許容される確率、所定ゲーム数毎に有利状態が継続する確率、有利状態に制御されるゲーム数、所定ゲーム数にわたり有利状態が継続する権利数、遊技者にとって有利な情報が報知されるか否かの確率、遊技者にとって有利な情報が報知される権利数などが該当し、有利度が高いとは、これらの確率やゲーム数、権利数が遊技者にとって有利となるように優遇されることである。
また、導出操作手段の操作態様とは、導出操作手段が操作されたタイミング、可変表示装置が複数の可変表示領域からなる場合には、導出操作手段により各可変表示領域に表示結果を導出させた順番、導出操作手段が操作されたタイミング及び導出操作手段により各可変表示領域に表示結果を導出させた順番の組み合わせなどが該当する。
また、通常表示結果及び特殊表示結果は、何らかの価値の付与を伴う表示結果、遊技状態の移行を伴う表示結果であっても良いし、何ら価値の付与を伴わない表示結果、遊技状態の移行を伴わない表示結果であっても良い。
また、通常表示結果が導出された場合と同一の価値が付与される特殊表示結果とは、通常表示結果が導出された場合と同一の価値が付与される表示結果（通常表示結果が導出された場合にいずれの価値も付与されない場合には、いずれの価値も付与されない表示結果）、通常表示結果が導出されたことを契機に遊技状態が変化するものであれば、通常表示結果が導出されたことを契機に変化する遊技状態と同一の遊技状態に変化する表示結果、通常表示結果が導出されたことを契機に遊技状態が変化しないものであれば、遊技状態が変化しない表示結果などが該当する。
また、有利度示唆演出は、第１報知演出及び第２報知演出のみから構成され、これに従って導出操作手段が操作されたことにより導出された表示結果のみから有利状態の有利度が示唆される構成でも良いし、第１報知演出及び第２報知演出に従って導出操作手段が操作されたことにより導出された表示結果と、第１報知演出及び第２報知演出以外の演出の演出態様を組み合わせた結果に応じて有利状態の有利度が示唆される構成でも良い。
また、前記有利状態において前記事前決定手段の決定結果が前記所定結果となった場合に、前記第１の有利度である場合と前記第２の有利度である場合とで前記第１報知演出及び前記第２報知演出に占める前記第２報知演出が実行される実行比率が異なる構成であれば良く、第２の有利度である場合に第１の有利度である場合よりも前記第２報知演出が実行される実行比率が高い構成でも良いし、第２の有利状態である場合に第１の有利度である場合よりも前記第２報知演出が実行される実行比率が低い構成でも良く、前者であれば特殊表示結果が導出される比率が高いことで第２の有利度の可能性が高い旨が示唆され、後者であれば特殊表示結果が導出される比率が低いことで第２の有利度の可能性が高い旨が示唆されることとなる。
【手続補正３】
【補正対象書類名】明細書
【補正対象項目名】０００９
【補正方法】変更
【補正の内容】
【０００９】
手段２のスロットマシンは、手段１に記載のスロットマシンであって、
前記所定結果は、前記有利状態（ＡＲＴ）において前記事前決定手段（内部抽選）により最も高い割合で決定される決定結果（通常＋特別リプレイ）である
ことを特徴としている。
この特徴によれば、有利状態においてその比率から該有利状態の有利度が示唆されることとなる通常表示結果及び特殊表示結果が導出される機会を増やすことができる。
【手続補正４】
【補正対象書類名】明細書
【補正対象項目名】００１０
【補正方法】変更
【補正の内容】
【００１０】
手段３のスロットマシンは、手段１または２に記載のスロットマシンであって、
前記通常表示結果（通常リプレイの入賞態様）及び前記特殊表示結果（特別リプレイの入賞態様）を含む予め定められた表示結果（再遊技役の入賞態様）が導出されたゲームが連続した回数が所定回数（例えば４回）以上の場合に該所定回数（例えば４回）未満の場合よりも前記実行比率の差が大きく設定されている
ことを特徴としている。
この特徴によれば、予め定められた表示結果が複数ゲームにわたり連続することで、特殊表示結果が導出される比率により示唆される有利度の精度が上がるので、有利状態において予め定められた表示結果が連続して導出されても興趣を維持することができる。
【手続補正５】
【補正対象書類名】明細書
【補正対象項目名】００１１
【補正方法】変更
【補正の内容】
【００１１】
手段４のスロットマシンは、手段１〜３のいずれかに記載のスロットマシンであって、
前記有利度示唆演出実行手段は、前記有利状態（ＡＲＴ）において前記事前決定手段（内部抽選）の決定結果が前記所定結果（通常＋特別リプレイ）となった場合において前記可変表示装置（リール２Ｌ、２Ｃ、２Ｒ）に表示結果が導出されたときに複数種類の演出態様（なし、パターン１、パターン２）から選択されたいずれかの演出態様にて特定演出（付加演出なしまたは選択されたパターンに応じた付加演出）を実行する特定演出実行手段を含み、
前記第１の有利度（ナビストック＝０個）である場合と前記第２の有利度（ナビストック＝１個以上）である場合とで前記特定演出（付加演出）の演出態様の選択率が異なる
ことを特徴としている。
この特徴によれば、第１の有利度であるか、第２の有利度であるか、に応じて有利状態において特殊表示結果が導出された比率だけでなく、特定演出の演出態様の選択率も変化するので、特殊表示結果が導出された際の特定演出の演出態様の違いにも着目させることができる。
尚、特定演出の演出態様は、通常と比較して変化しない演出態様を含むものでも良い。
【手続補正６】
【補正対象書類名】明細書
【補正対象項目名】００１２
【補正方法】変更
【補正の内容】
【００１２】
手段５のスロットマシンは、手段１〜３のいずれかに記載のスロットマシンであって、
遊技者が認識可能であり、前記有利状態（ＡＴ）の有利度が所定の有利度（例えば、ナビストック５個）以上であることが確定する特定事象（例えば、中段チェリーの入賞）を発生させる特定事象発生手段を備え、
前記有利度示唆演出実行手段は、前記特定事象（例えば、中段チェリーの入賞）が発生した場合において、前記有利度示唆演出（通常＋特別リプレイ当選時のナビ演出、付加演出）として、該特定事象（例えば、中段チェリーの入賞）の発生に基づいて遊技者が把握し得る有利度（例えば、中段チェリーの入賞により示唆された５個から実行済みのナビストック数を減算した個数）以下の有利度を示唆する演出の実行を規制する（遊技者が特定可能なナビストック数が３個以上の場合において、少なくとも３個のナビストックが確定するパターン２の付加演出の実行を制限する）
ことを特徴としている。
この特徴によれば、特定事象が発生した後において、既に遊技者が把握済の有利度以下の有利度を示唆するような有利度示唆演出の実行が規制されるので、有利度示唆演出が実行されても遊技者に煩わしさを抱かせてしまうことを防止できる。
尚、特定事象とは、遊技者が認識可能な事象であれば良く、例えば、可変表示装置の変動態様、表示結果、遊技の進行に用いる操作手段の無効或いは遅延制御、演出装置による演出などが該当する。
また、特定事象に発生に基づいて遊技者が把握し得る有利度とは、有利度がゲームの消化などにより消費されるものであれば、特定事象が発生した時点からそれまでに消費した有利度を所定の有利度から差し引いた有利度が該当し、有利度がゲームの消化などにより消費されないものであれば、所定の有利度が該当する。